(57)【要約】【課題】  磁性体を励磁するための交番磁界を発生させる励磁巻線と、磁性体が発する信号を検知する検知巻線とが近接する場合の各巻線間で発生するノイズや、装置に起因するノイズの影響を除去し、磁性体が発する信号をより確実に検知する磁性体検知装置およびその検知方法を提供する。【解決手段】  交番磁界を発生する励磁巻線と、励磁巻線から発生された交番磁界による磁化反転により磁性体から生じる信号を受信するための受信巻線と、受信巻線で受信した信号を増幅する増幅回路と、受信巻線が磁性体からの信号を受信していない状態で増幅回路から出力される信号を記憶する記憶手段と、増幅回路の出力信号から記憶手段に記憶した信号を減算する減算手段と、減算手段の出力に基づき磁性体を検知する検知手段を具備する。【選択図】  図３
2008070148.tif 000002
【特許請求の範囲】
【請求項１】
交番磁界を発生する励磁巻線と、
前記励磁巻線から発生された交番磁界による磁化反転により磁性体から生じる信号を受信するための受信巻線と、
前記受信巻線で受信した信号を増幅する増幅回路と、
前記受信巻線が前記磁性体からの信号を受信していない状態で前記増幅回路から出力される信号を記憶する記憶手段と、
前記増幅回路の出力信号から前記記憶手段に記憶した信号を減算する減算手段と、
前記減算手段の出力に基づき前記磁性体を検知する検知手段
を具備する磁性体検知装置。
【請求項２】
前記記憶手段は、
前記増幅回路から出力される信号を記憶してから一定時間経過したかを判別する判別手段と、
前記判別手段により一定時間経過したと判別され、かつ前記増幅回路から前記磁性体からの信号を受信していない状態の信号が出力されている場合は、該増幅回路から出力される信号で記憶信号を更新する更新手段と
を具備する請求項１記載の磁性体検知装置。
【請求項３】
前記記憶手段は、
前記磁性体からの信号を受信していない状態で前記増幅回路から出力される信号の１周期分を記憶する請求項１記載の磁性体検知装置。
【請求項４】
前記記憶手段は、
前記磁性体からの信号を受信していない状態で前記増幅器から出力される信号の複数周期分を平均した信号を記憶する請求項１記載の磁性体検知装置。
【請求項５】
励磁巻線で発生させた交番磁界による磁化反転により磁性体から生じる信号を受信する受信巻線が前記磁性体からの信号を受信していない状態の受信信号を増幅回路で増幅させ、該増幅させた信号を記憶手段で記憶し、
前記受信巻線で受信された受信信号を増幅回路で増幅させた信号から前記記憶手段に記憶した前記信号を減算手段で減算し、
前記減算手段の出力に基づき前記磁性体を検知手段で検知する検知方法。
【請求項６】
前記記憶手段は、
前記増幅回路から出力される信号を記憶してから一定時間経過したかを判別手段で判別し、
前記判別手段により一定時間経過したと判別され、かつ前記増幅回路から前記磁性体からの信号を受信していない状態の信号が出力されている場合は、該増幅回路から出力される信号で記憶信号を更新手段で更新する請求項５記載の検知方法。
【発明の詳細な説明】
【技術分野】
【０００１】
この発明は、励磁された磁性体が磁化反転時に発する信号を検知する磁性体検知装置およびその検知方法に関し、特に、磁性体を励磁するための交番磁界を発生させる励磁巻線と、磁性体が発する信号を検知する検知巻線とが近接する場合の各巻線間で発生するノイズや、装置に起因するノイズの影響を除去し、磁性体が発する信号をより確実に検知する磁性体検知装置およびその検知方法に関する。
【背景技術】
【０００２】
近年、機密情報や個人情報等の漏洩防止、有価証券等の偽造防止、商品等の盗難防止等、セキュリティ強化を目的とする種々の方法や装置が提供されている。
【０００３】
例えば、物品等の商品を扱う店舗においては、商品の盗難防止を目的として商品にタグを貼付し、店舗の出入口付近にゲート状に設置されたタグ検知装置をタグが貼付された商品が通過した際に、タグの状態を１ビットのＯＮ／ＯＦＦで検知することで、当該商品が清算済みか否かを判別して商品の盗難を防止するシステムが提供されている。
【０００４】
タグの種類としては、ＲＦＩＤ（＝Ｒａｄｉｏ  Ｆｒｅｑｕｉｅｎｃｙ  ＩＤｅｎｔｉｆｉｃａｔｉｏｎ）タグや磁性材を使用した磁性材タグ等が用いられており、これらのタグをタグの近傍もしくは遠隔で正確に検知できるようなタグ検知装置も各種提供されている。
【０００５】
ＲＦＩＤタグに記憶された情報は、例えばリーダ／ライタから信号を送信してＲＦＩＤタグを起動させ、起動したＲＦＩＤタグが発信する情報をリーダ／ライタで受信することでＲＦＩＤタグに記憶された情報を検知することができる。
【０００６】
このリーダ／ライタは、ＲＦＩＤタグがリーダ／ライタから数ｃｍないし数十ｃｍ離れた位置にあってもＲＦＩＤタグの情報を非接触で読み取ることができ、また、ＲＦＩＤタグは、汚れや静電気等に強いことから入退室管理、工場の生産管理、物流の管理等の様々な分野で利用されている。
【０００７】
また、磁性材からなるタグ（磁性材タグ）と、その検知装置の適用技術として大バルグハウゼン効果を起こす磁性材タグを商品に付与し、その磁性材タグの検知装置をゲートに設置することで検知装置がゲート通過時の商品に付与された磁性材タグを検知し、商品の盗難を防止する装置も提供されている。
【０００８】
大バルグハウゼン効果を起こす磁性材タグは、例えばＣｏ−Ｆｅ系アモルファス軟磁性材の磁性ワイヤー等があり、これらの磁性材タグは、ＲＦＩＤタグと比べればコストが安いので大量の商品に付与する場合や使い捨ての媒体に付与する場合に適している。
【０００９】
大バルグハウゼン効果を起こす磁性材タグは、磁性材タグ固有の保磁力を超える磁界を受けた時に急峻な磁化反転を起こす特徴があるため、検知装置の励磁コイルで発生させた交番磁界を磁性材タグに与え、磁性材タグが磁化反転時に発する急峻な磁気パルスを磁性材タグ近傍に配置された検知コイルを介して検出することで磁性材タグが検知できる。
【００１０】
例えば特許文献１には、商品等の物品に添付された識別標識の移動を検出することにより商店における商品の盗難を防止する物品監視システムが提案されている。
【００１１】
上記提案の物品監視システムでは、商品等に添付された磁性材を有するタグがタグの検知領域を移動する際に、送信アンテナから発生された信号により磁性体の磁束密度を変化させ、その磁束密度の変化に起因した信号を受信アンテナで検出し、検出信号に基づきタグが添付された商品を検知する検知装置が提案され、送信アンテナが内蔵された送信アンテナハウジングと受信アンテナが内蔵された受信アンテナハウジングとが対向して設置された検知ゲートの各アンテナハウジングの無駄な空間に表示装置を嵌め込み、表示装置に商品情報等を表示させることでタグの検知能力を低下させることなく、検知ゲートの無駄な空間を有効利用する提案がなされている。
【特許文献１】特開２００２−３１９０７７号公報
【発明の開示】
【発明が解決しようとする課題】
【００１２】
上記特許文献１に示すように各アンテナハウジングに内蔵された送信アンテナと受信アンテナとが互い近接し、各アンテナハウジングが対向して配置されている場合は、各コイル間で発生するクロストークの影響によるノイズ信号や装置の構造に起因するノイズ信号と、それ以外の磁性体から発生した信号とを如何に識別して検知するかが要求される。
【００１３】
そこで、本発明は、磁性体を励磁するための交番磁界を発生させる励磁巻線と、磁性体が発する信号を検知する検知巻線とが近接する場合の各巻線間で発生するノイズや、装置に起因するノイズの影響を除去し、磁性体が発する信号をより確実に検知する磁性体検知装置およびその検知方法を提供することを目的とする。
【課題を解決するための手段】
【００１４】
上記目的を達成するため、請求項１の磁性体検知装置の発明は、交番磁界を発生する励磁巻線と、前記励磁巻線から発生された交番磁界による磁化反転により磁性体から生じる信号を受信するための受信巻線と、前記受信巻線で受信した信号を増幅する増幅回路と、前記受信巻線が前記磁性体からの信号を受信していない状態で前記増幅回路から出力される信号を記憶する記憶手段と、前記増幅回路の出力信号から前記記憶手段に記憶した信号を減算する減算手段と、前記減算手段の出力に基づき前記磁性体を検知する検知手段を具備する。
【００１５】
また、請求項２の発明は、請求項１の発明において、前記記憶手段は、前記増幅回路から出力される信号を記憶してから一定時間経過したかを判別する判別手段と、前記判別手段により一定時間経過したと判別され、かつ前記増幅回路から前記磁性体からの信号を受信していない状態の信号が出力されている場合は、該増幅回路から出力される信号で記憶信号を更新する更新手段とを具備する。
【００１６】
また、請求項３の発明は、請求項１の発明において、前記記憶手段は、前記磁性体からの信号を受信していない状態で前記増幅回路から出力される信号の１周期分を記憶する。
【００１７】
また、請求項４の発明は、請求項１の発明において、前記記憶手段は、前記磁性体からの信号を受信していない状態で前記増幅器から出力される信号の複数周期分を平均した信号を記憶する。
【００１８】
また、請求項５の検知方法の発明は、励磁巻線で発生させた交番磁界による磁化反転により磁性体から生じる信号を受信する受信巻線が前記磁性体からの信号を受信していない状態の受信信号を増幅回路で増幅させ、該増幅させた信号を記憶手段で記憶し、前記受信巻線で受信された受信信号を増幅回路で増幅させた信号から前記記憶手段に記憶した前記信号を減算手段で減算し、前記減算手段の出力に基づき前記磁性体を検知手段で検知する。
【００１９】
また、請求項６の発明は、請求項５の発明において、前記記憶手段は、前記増幅回路から出力される信号を記憶してから一定時間経過したかを判別手段で判別し、前記判別手段により一定時間経過したと判別され、かつ前記増幅回路から前記磁性体からの信号を受信していない状態の信号が出力されている場合は、該増幅回路から出力される信号で記憶信号を更新手段で更新する。
【発明の効果】
【００２０】
この発明の磁性体検知装置およびその検知方法によれば、検知すべき目的の検知信号を含まない信号を一定時間毎に記憶保持し、検知すべき目的の検知信号が混在する信号を受信した場合は、検知信号が混在する信号と記憶保持された信号とを減算する信号処理を行い検知すべき目的の検知信号を検知するので送受信アンテナ間で発生するノイズや、装置に起因するノイズ及び経年変化に起因するノイズの影響を除去し、磁性体が発する信号をより確実に検知することができる。
【発明を実施するための最良の形態】
【００２１】
以下、本発明に係わる磁性体検知装置およびその検知方法の一実施例について添付図面を参照して詳細に説明する。
【００２２】
図１は、本発明に係わる磁性体検知装置およびその検知方法を適用した複写機１０の概略図である。
【００２３】
図１（ａ）は、複写機１０の概略的な構成を示したブロック図であり、図１（ｂ）は、複写機１０の概略的な斜視図である。
【００２４】
図１（ａ）及び（ｂ）に示すように、複写機１０は本発明に係わる磁性体検知装置の磁性体検知部１００と、制御部１１と、画像読取部１２と、画像形成部１３を備えている。
【００２５】
磁性体検知部１００は、複写機１０のプラテンガラス１４上に置かれた原稿１を複写する際に、複写不可を示す磁性体１１０が原稿１に付与されているか否かを検知し、その検知結果の信号を制御部１１へ出力する動作とその制御を行う。
【００２６】
画像読取部１２は、プラテンガラス１４上に置かれた原稿１に対して光を投光し、投光による原稿１の反射光を図示せぬ光電変換素子（例えば、ＣＣＤ＝Ｃｈａｒｇｅ  Ｃｕｏｐｌｅｄ  Ｄｅｖｉｃｅ等）で受光して電気信号に変換し、光電変換素子で変換された電気信号に基づき原稿１に記録された画情報を読み取る動作とその制御を行う。
【００２７】
画像形成部１３は、画像読取部１２で読み取られた画情報を用紙トレイ１６から給紙される図示せぬ用紙上へ印刷し、排紙トレイ１７へ排紙する動作とその制御を行う。
【００２８】
制御部１１は、複写機１０の全体を統括制御し、磁性体検知部１００による原稿１に付与された磁性体１１０の検知結果に基づき複写機１０の複写動作または複写動作の禁止制御を行う。
【００２９】
また、複写機１０のプラテンカバー１５の裏面には送信コイル１０１が配設され、プラテンガラス１４の裏面には受信コイル１０２が配設されており、プラテンガラス１４上に置かれた原稿１を複写するためにプラテンカバー１５を閉じると、送信コイル１０１と受信コイル１０２とが対向し、送信コイル１０１と受信コイル１０２がプラテンガラス１４上に置かれた原稿１を挟むように配置されている。
【００３０】
複写機１０は、ユーザの複写開始指示操作に基づく複写動作に先立ち、プラテンガラス１４上に置かれた原稿１の複写不可を示す磁性体１１０が検知されたか否かを判別し、磁性体１１０が検知された場合は、原稿１の複写動作を禁止する制御を行い、磁性体１１０が検知されなかった場合は、原稿１の画情報を読み取り、読み取った画情報を用紙トレイ１６から給紙される用紙上に印刷し、排紙トレイ１７へ排紙する複写動作を行う。
【００３１】
磁性体検知部１００による原稿１に付与された磁性体１１０の検知方法は、具体的には、磁性体検知部１００の制御により送信コイル１０１から交番磁界を発信し、この交番磁界を受けた原稿１の磁性体１１０が磁化反転して発する急峻な磁気パルスを検知コイル１０２を介して検知する。
【００３２】
図２は、原稿１に付与される磁性体１１０の特性を示す図である。
【００３３】
図２（ａ）は、複写不可を示すために磁性体が付与された原稿１の一例を示す図、図２（ｂ）は、原稿１に付与された磁性体１１０の磁気特性を示す図、図２（ｃ）は、磁性体１１０が所定の交番磁界を受けることで磁化反転時に発する急峻な磁気パルスに対応して検出されるパルス信号を示す図である。
【００３４】
図２（ａ）に示すように、原稿１には、複写不可を示す磁性体１１０が付与されており、この磁性体１１０は、所定の交番磁界を受けることで磁化反転し、その際に急峻な磁気パルスを発する、所謂大バルクハウゼン効果の特性を有している。
【００３５】
この磁性体１１０は、例えばＣｏ−Ｆｅ系アモルファス軟磁性材の磁性ワイヤーであり、図２（ｂ）に示すような長方形状の磁化曲線（Ｂ−Ｈ曲線）２００の磁気特性を有し、磁化曲線（Ｂ−Ｈ曲線）２００に示すように保磁力Ｈ１を有している。
【００３６】
なお、一般に、アモルファス磁性ワイヤーの磁性体が有する固有の保磁力は、磁性体の大きさや形状等により異なり、磁性体が有する固有の保磁力に応じて磁化反転時に発する磁気パルスの強度やタイミングが異なる。
【００３７】
このような磁気特性のある磁性体１１０に対して図２（ｃ）に示すように検出される検出信号波形２０１の交番磁界を与えると、保磁力Ｈ１を有する磁性体１１０は、交番磁界の磁界強度がＨ１または−Ｈ１を超える交番磁界を受けた時に磁化反転する。
【００３８】
磁性体１１０の磁化反転時には磁性体１１０から急峻な磁気パルスＡ（検出信号波形２０１における磁界強度が略Ｈ１を超えた交番磁界を受けた時ｔ１）及び磁気パルスＢ（検出信号波形２０１における磁界強度が略−Ｈ１を超えた交番磁界を受けた時ｔ２）がそれぞれ発せられるので、これらの磁気パルスを受信し、所定の信号処理を行うことで検出することができる。  
しかしながら、交番磁界を送信コイルで発生させ、この交番磁界により磁性体１１０が磁化反転時に発する磁気パルスを受信コイルで受信して検出しようとすると、送信コイルと受信コイルとが近接配置される場合は、各コイル間のクロストークの影響によるノイズや、装置が備える金属や各種センサー等の動作に伴い発生するノイズ（装置に起因するノイズ等）が発生する場合があり、これらのノイズの影響を抑えて磁性体１１０を高精度で検知することが要求される。
【００３９】
そこで、図１で示した複写機１０は、磁性体１１０を励磁するための交番磁界を発生させる送信コイルと、磁性体１１０が磁化反転時に発する磁気パルスを受信する受信コイル１０２とが近接配置されている場合であっても各コイル間で発生するノイズや、装置に起因するノイズの影響を除去し、磁性体１１０が発する信号をより確実に検知するように構成された磁性体検知部１００を備えている。
【００４０】
図３は、磁性体検知部１００の要部の構成を示すブロック図である。
【００４１】
図３に示すように、磁性体検知部１００は、送信コイル１０１と、受信コイル１０２と、送信回路１２０と、増幅器１２１と、切替回路１２２と、減算回路１２３と、帯域制限回路１２４と、検波回路１２５と、検知回路１２６と、記憶部１２７を備えている。
【００４２】
送信コイル１０１は、原稿１に付与された磁性体１１０を励磁するための交番磁界を送信するアンテナである。
【００４３】
受信コイル１０２は、送信コイル１０１から送信された交番磁界を受けた磁性体１１０が磁化反転して発する磁気パルスを受信するアンテナである。
【００４４】
送信回路１２０は、交流正弦波を生成し、所定の交番磁界を送信コイル１０１を介して送信させるための制御を行う。
【００４５】
増幅器１２１は、受信コイル１０２で受信された受信信号を増幅して出力する。
【００４６】
切替回路１２２は、増幅器１２１から出力される増幅信号を減算回路１２３へ出力するとともに所定の条件に基づき増幅器１２１から出力される増幅信号を記憶部１２７へ出力して記憶保持させる制御を行う。
【００４７】
具体的には、送信コイル１０１から送信された交番磁界に同期して増幅器１２１から出力される増幅器信号のうちの磁性体１１０が発する磁気パルスの検出信号が無い時の増幅器信号を記憶部１２７へ記憶させる。
【００４８】
また、予め設定された時間経過毎に磁性体１１０が発する磁気パルスの検出信号が無い信号を受信した場合は、その増幅信号で記憶部１２７に記憶された増幅信号（説明の便宜上、「記憶増幅信号」という。）を書き換える。
【００４９】
減算回路１２３は、増幅器１２１から出力される増幅信号から記憶部１２７に記憶された記憶増幅信号を減算する信号処理を行い、帯域制限回路１２４へ出力する。
【００５０】
帯域制限回路１２４は、減算回路１２３で減算処理された増幅信号を所定の帯域幅で濾波し、同相ノイズ成分を除去する。
【００５１】
検波回路１２５は、帯域制限回路１２３で所定の帯域制限幅で濾波されて出力された増幅信号から磁性体１１０が磁化反転時に発する磁気パルスの検出信号を抽出し増幅する。
【００５２】
検知回路１２６は、検波回路１２５で抽出され増幅された抽出信号に基づき磁性体１１０の有無を検知し、その検知結果を複写機１０の制御部１１へ出力する。
【００５３】
記憶部１２６は、切替回路１２２から出力される増幅信号を記憶保持する。
【００５４】
なお、記憶部１２６は、記憶素子であってもよく、図示せぬメモリー上に展開される記憶領域に記憶する構成でもよい。
【００５５】
磁性体検知部１００の送信コイル１０１から交番磁界を送信し、受信コイル１０２を介して磁性体１１０が発する磁気パルスを検出するタイミングは、次のようなタイミングで行われる。
【００５６】
例えば送信回路１２０が所定周波数の電流を生成して送信コイル１０１へ流す制御を行い、送信コイル１０１から交番磁界を発生させる。
【００５７】
プラテンガラス１４上に置かれた原稿１に付与された磁性体１１０は、送信コイル１０１から発生した交番磁界を受けて磁化反転して急峻な磁気パルスを発する。
【００５８】
一方、受信コイル１０２では、送信コイル１０１から発生した交番磁界と、磁性体１１０が発する磁気パルスと、各コイル間で発生するノイズや装置に起因するノイズ等の信号を受信するが、これらの信号を、送信回路１２０で生成された所定周波数の電流の立ち上がり方向で電流値が０になる時間、すなわち電流の向きが負から正へ逆転する時の時間を検出し、この検出した時間に交番磁界の一周期に一回のタイミングで出力される基準信号に基づき検出する。
【００５９】
このように構成された磁性体検知部１００が各コイル間で発生するノイズや装置に起因するノイズの影響を除去し、磁性体１１０が発する信号をより確実に検知する検知方法及びその制御動作について図４を参照して説明する。
【００６０】
図４は、磁性体検知部１００が各コイル間で発生するノイズや装置に起因するノイズの影響を除去し、原稿１に付与された磁性体１１０をより確実に検知する方法を示す流れ図である。
【００６１】
図４に示すように、複写機１０のプラテンガラス１４上に原稿を置き、プラテンカバー１５を閉じると、磁性体検知部１００に電源が供給されて起動し動作する。
【００６２】
なお、磁性体検知部１００は、プラテンカバー１５が閉じられるとプラテンガラス１４上の原稿の有無に関わらず起動し、動作するように構成されている。
【００６３】
磁性体検知部１００が動作すると、送信コイル１０１から所定の交番磁界が送信される（ステップＳ４０１）。
【００６４】
この動作制御は、具体的には、磁性体検知部１００の送信回路１２０が図示せぬ電圧制御発振器（ＶＣＯ＝Ｖｏｌｔａｇｅ  Ｃｏｎｔｒｏｌｌｅｄ  Ｏｓｃｉｌｌａｔｏｒ）へ作動電圧を供与して交流正弦波を生成し、生成された交流正弦波が図示せぬ送信機及び送信コイル１０１を介してプラテンガラス１４上の平面内に送信される。
【００６５】
送信コイル１０１から所定の交番磁界が送信されると、送信コイル１０１から送信された交番磁界と、各コイル間で発生するノイズ及び装置に起因するノイズと、磁性体１１０が磁化反転時に発する磁気パルス（プラテンガラス１４上に置かれた原稿に磁性体１１０が付与されている場合）を含む信号が送信コイル１０１と対向する位置に配置された受信コイル１０２で受信される（ステップＳ４０２）。
【００６６】
受信コイル１０２で受信されたこれらの信号は、増幅器１２１に入力され、増幅器１２１で所定のレベルまで増幅された後、切替回路１２２へ出力される（ステップＳ４０３）。
【００６７】
切替回路１２２は、増幅器１２１から出力された増幅信号に検知すべき目的信号が混在しているか否かを判別する（ステップＳ４０４）。
【００６８】
この動作制御は、具体的には、増幅器１２１から出力された増幅信号と記憶部１２７に記憶された記憶増幅信号とを比較し、増幅信号と記憶増幅信号とで予め設定された設定値以上の差がある場合は、増幅器１２１から出力された増幅信号に検知すべき目的信号が混在していると判断し、そうでない場合は、目的信号が混在していと判別する（ステップＳ４０５）。
【００６９】
なお、記憶部１２７には、プラテンガラス１４上に原稿を置かない状態で送信コイル１０１から送信された交番磁界と、各コイル間で発生するノイズ及び装置に起因するノイズを含む信号を受信し、増幅器１２１で増幅された増幅信号が複写機１０の出荷時等で予め記憶されている。
【００７０】
また、記憶部１２７に記憶される増幅信号は、送信回路１２０で生成される交流正弦波の１周期分に対応する増幅信号であり、増幅信号と記憶増幅信号との差は、増幅器１２１から出力される増幅信号（送信回路１２０で生成される交流正弦波の１周期分に対応する増幅信号）と記憶部１２７から取得される記憶増幅信号の２つの入力信号の差の出力で求め、予め設定された設定値は、記憶部１２７に予め記憶されている。
【００７１】
増幅器１２１から出力された増幅信号に検知すべき目的信号が混在していないと切替回路１２２で判別された場合は（ステップＳ４０５でＮＯ）、現在の日時が記憶部１２７に記憶増幅信号が記憶された日時から予め設定された一定時間が経過しているか否かを判断し（ステップＳ４０６）、一定時間が経過している場合は（ステップＳ４０６でＹＥＳ）、記憶部１２７に記憶された記憶増幅信号を増幅器１２１から出力された増幅信号で書き換えるとともに増幅信号を減算回路１２３へ出力する（ステップＳ４０７）。
【００７２】
なお、記憶部１２７に記憶する増幅信号は、前述したように送信回路１２０で生成される交流正弦波の１周期分に対応する増幅信号である。
【００７３】
この動作制御は、具体的には、切替回路１２２が図示せぬタイマーから現在の日時情報を取得し、タイマーから取得した現在の日時情報と記憶部１２７に記憶増幅信号が記憶された日時情報とを比較し、例えば予め設定された一定時間が１時間で、現在の日時情報と記憶増幅信号が記憶された日時情報との差が１時間以上ある場合であれば、記憶部１２７に記憶された記憶増幅信号を増幅器１２１から出力された増幅信号で書き換える動作を一定時間毎に繰り返し行う。
【００７４】
また、ステップＳ４０５において、増幅器１２１から出力された増幅信号に検知すべき目的信号が混在していると切替回路１２２で判別された場合は（ステップＳ４０５でＹＥＳ）またはステップＳ４０６において、記憶増幅信号が記憶部１２７に記憶された時から一定時間が経過していない場合（ステップＳ４０６でＮＯ）は、増幅器１２１から出力された増幅信号を減算回路１２３へ出力する。
【００７５】
減算回路１２３は、切替回路１２２から出力された増幅信号から記憶部１２７に記憶されている記憶増幅信号を減算する信号処理を行い、信号処理後の信号を帯域制限回路１２４へ出力する（ステップＳ４０８）。
【００７６】
この動作制御は、具体的には、切替回路１２２から出力される増幅信号と記憶部１２７から取得される記憶増幅信号の２つの入力信号の差を出力する。
【００７７】
帯域制限回路１２４は、減算回路１２３で減算処理された増幅信号を所定の帯域幅で濾波し、同相ノイズ成分を除去後、検波回路１２５へ出力する（ステップＳ４０９）。
【００７８】
検波回路１２５は、帯域制限回路１２４により所定の帯域幅で濾波された増幅信号からから原稿１に付与された磁性体１１０が磁化反転時に発する磁気パルスに対応したパルス信号を抽出し増幅する（ステップＳ４１０）。
【００７９】
検知回路１２６は、検波回路１２５で抽出され増幅された抽出信号に基づき磁性体１１０の検知結果を複写機１０の制御部１１へ出力する（ステップＳ４１１、ステップＳ４１２）。
【００８０】
複写機１０の制御部１１は、磁性体検知装置１００の検知回路１２６から出力された磁性体１１０の検知結果に基づき磁性体１１０が検知された場合であればプラテンガラス１４上に置かれた原稿の複写動作を禁止する制御を行い、磁性体１１０が検知されない場合であれは、プラテンガラス１４上に置かれた原稿の複写動作の制御を行う。
【００８１】
このように磁性体検知装置１００は、検知すべき目的の検知信号を含まない信号を一定時間毎に記憶保持し、検知すべき目的の検知信号を含む信号を受信した場合は、検知信号を含む信号から一定時間毎に記憶保持された検知すべき目的の検知信号を含まない信号を減算して検知するので装置に起因するノイズや経年変化に起因するノイズの影響を抑えて磁性体が発する信号をより確実に検知することができる。
【００８２】
これまでの説明では、検知すべき目的の検知信号を含まない信号を送信回路１２０で生成される交流正弦波の１周期分に対応する増幅信号で記憶させたが、ｎ周期分（ｎは、２、３、４、・・・の予め設定される数）に対応する増幅信号を平均した増幅信号（平均した増幅信号の１周期分）で記憶させる構成としてもよい。
【００８３】
この場合は、切替回路１２２が送信コイル１０１から送信された交番磁界に同期して増幅器１２１から出力される増幅器信号のうちの磁性体１１０が発する磁気パルスの検出信号が無い時の増幅器信号をｎ周期分取得し、その平均を算出する手段を備える構成とする。
【産業上の利用可能性】
【００８４】
本発明は、磁性体を検知するための装置と、クローストークや装置に起因するノイズの影響を抑える技術に適用可能である。  
【図面の簡単な説明】
【００８５】
【図１】本発明に係わる磁性体検知装置およびその検知方法を適用した複写機１０の概略図
【図２】原稿に付与される磁性体１１０の特性を示す図
【図３】磁性体検知部１００の要部の構成を示すブロック図
【図４】磁性体検知部１００が原稿１に付与された磁性体１１０をより確実に検知する方法を示す流れ図
【符号の説明】
【００８６】
１      原稿
１０    複写機
１１    制御部
１２    画像読取部
１３    画像形成部
１４    プラテンガラス
１５    プラテンカバー
１６    用紙トレイ
１７    排紙トレイ
１００  磁性体検知部
１０１  送信コイル
１０２  受信コイル
１１０  磁性体
１２０  送信回路
１２１  増幅器
１２２  切替回路
１２３  減算回路
１２４  帯域制限回路
１２５  検波回路
１２６  検知回路
１２７  記憶部
２００  磁化曲線（Ｂ−Ｈ曲線）
２０１  検出信号波形
【図１】
2008070148.tif 000003
【図２】
2008070148.tif 000004
【図３】
2008070148.tif 000005
【図４】
2008070148.tif 000006